【手続補正書】
【提出日】平成18年12月1日(2006.12.1)
【手続補正１】
【補正対象書類名】明細書
【補正対象項目名】００１７
【補正方法】変更
【補正の内容】
【００１７】
上記の文献は本明細書中で参考として援用され、本明細書中では、追加または代替の詳細、特徴および／あるいは技術背景の教示に当てる。
なお、本出願に対応する外国の特許出願においては下記の文献が発見または提出されている。
【特許文献１】国際公開第９０／０９６１４号パンフレット
【特許文献２】米国特許第５５２８３９３号明細書
【特許文献３】米国特許第５４６９２７９号明細書
【特許文献４】米国特許第５１２２８８７号明細書
【特許文献５】米国特許第４５７５１９３号明細書
【特許文献６】米国特許第２４９３２００号明細書
【特許文献７】米国特許第４３６７９２４号明細書
【特許文献８】米国特許第４５８２３９６号明細書
【特許文献９】米国特許第４２３２９４８号明細書
【特許文献１０】米国特許第４４１６５１４号明細書
【特許文献１１】米国特許第４００３０８１号明細書
【特許文献１２】米国特許第４０１９８０８号明細書
【特許文献１３】米国特許第４７５８８１８号明細書
【特許文献１４】米国特許第５３４７３７８号明細書
【特許文献１５】米国特許第５２４３４５５号明細書
【特許文献１６】米国特許第５０５０９６５号明細書
【特許文献１７】米国特許第５４６９２７９号明細書
【特許文献１８】独国特許出願公開第４０２９８３８号明細書
【特許文献１９】米国特許第５６８６９３１号明細書
【特許文献２０】米国特許第４４４８８２３号明細書
【特許文献２１】米国特許第４０２５１６４号明細書
【特許文献２２】米国特許第５１２６８６４号明細書
【特許文献２３】米国特許第４４９７５４３号明細書
【特許文献２４】米国特許第４７７０５００号明細書
【特許文献２５】米国特許第４８３４５０８号明細書
【特許文献２６】米国特許第４８６７５３６号明細書
【特許文献２７】米国特許第５０３３８２５号明細書
【特許文献２８】米国特許第４６５２０８７号明細書
【特許文献２９】米国特許第４６３５０５１号明細書
【特許文献３０】米国特許第４７５９６１２号明細書
【特許文献３１】米国特許第４７７０５２５号明細書
【特許文献３２】米国特許第４７９６９７８号明細書
【特許文献３３】米国特許第４９１７４６４号明細書
【特許文献３４】米国特許第４９１７４６５号明細書
【特許文献３５】米国特許第４９６６４４１号明細書
【特許文献３６】米国特許第５０３２００７号明細書
【特許文献３７】米国特許第５１７９４５９号明細書
【特許文献３８】米国特許第５２３７４３５号明細書
【特許文献３９】米国特許第５２９９０３９号明細書
【特許文献４０】米国特許第５４２２７５６号明細書
【特許文献４１】米国特許第５５７４５８０号明細書
【特許文献４２】米国特許第５５８５９５０号明細書
【特許文献４３】米国特許第５６０８５５１号明細書
【特許文献４４】米国特許第２６３８８１６号明細書
【特許文献４５】米国特許第５６５８４９０号明細書
【特許文献４６】米国特許第５４０００９５号明細書
【特許文献４７】米国特許第５３５３０７５号明細書
【特許文献４８】米国特許第５３３７１０３号明細書
【特許文献４９】米国特許第５１３２８２６号明細書
【特許文献５０】米国特許第５２７６４３６号明細書
【特許文献５１】米国特許第４９９５７０２号明細書
【特許文献５２】米国特許第５２３１４３２号明細書
【特許文献５３】米国特許第５３５５１８８号明細書
【特許文献５４】米国特許第５３２１４５０号明細書
【特許文献５５】米国特許第４４１６５１４号明細書
【特許文献５６】米国特許第４７８６９６４号明細書
【特許文献５７】米国特許第４８０８５０１号明細書
【特許文献５８】米国特許第５３８１２５３号明細書
【特許文献５９】米国特許第５５１０８６１号明細書
【特許文献６０】米国特許第５１２４８１６号明細書
【特許文献６１】米国特許第４７８６１４６号明細書
【特許文献６２】米国特許第５５００５２３号明細書
【特許文献６３】米国特許第５３３７１７４号明細書
【特許文献６４】米国特許第５７３９８８１号明細書
【特許文献６５】米国特許第５７７７７０９号明細書
【特許文献６６】米国特許第５２２０４４７号明細書
【特許文献６７】米国特許第５３６９５１３号明細書
【特許文献６８】国際公開第９５／２６１１０号パンフレット
【特許文献６９】特開昭６３−１２１３７９号公報
【特許文献７０】特開平４−０２２９２０号公報
【特許文献７１】米国特許第４６６８０８６号明細書
【特許文献７２】米国特許第５７７４２６４号明細書
【特許文献７３】米国特許第５２４９０７１号明細書
【特許文献７４】米国特許第５６８９３１７号明細書
【特許文献７５】米国特許第５２６８７８２号明細書
【特許文献７６】米国特許第５５５９６３４号明細書
【特許文献７７】米国特許第４６８５７７３号明細書
【特許文献７８】米国特許第４５６６７６１号明細書
【特許文献７９】米国特許第５５６５９３３号明細書
【特許文献８０】特開昭６３−１８２９８７号公報
【特許文献８１】特開昭５６−１３７３０７号公報
【特許文献８２】特開平４−２０７７７４号公報
【特許文献８３】特開平３−０２８８２３号公報
【特許文献８４】特開平７−０８４２１８号公報
【特許文献８５】米国特許第５８８８６０３号明細書
【特許文献８６】米国特許第６０７８３６３号明細書
【特許文献８７】米国特許第５６２７６６６号明細書
【特許文献８８】米国特許第５４８１３２０号明細書
【特許文献８９】米国特許第５３８７９２０号明細書
【特許文献９０】米国特許第５２９８９８６号明細書
【特許文献９１】米国特許第５１６４８２１号明細書
【特許文献９２】米国特許第４５７５４７０号明細書
【特許文献９３】米国特許第５６７１２１１号明細書
【特許文献９４】米国特許第４６５９１１２号明細書
【特許文献９５】米国特許第３６４７２７９号明細書
【特許文献９６】米国特許第５３２５２１８号明細書
【特許文献９７】米国特許第４８３８６５５号明細書
【特許文献９８】米国特許第４９１７４６５号明細書
【特許文献９９】米国特許第６０５７９０１号明細書
【特許文献１００】米国特許第５４０６３９６号明細書
【特許文献１０１】米国特許第５５４８４２２号明細書
【特許文献１０２】米国特許第５４００１５８号明細書
【非特許文献１】"Achromatic phase-shifters:2.A quantized ferroelectric liquid-crystal system", P.Hariharan et al., 2319 Optics Communications 117 (1995) 15 May, Nos.1/2, Amsterdam, NL, pages 13-15
【非特許文献２】"Achromatic retardation plates", Alan M. Title et al., SIPE Vol.307 Polarizers and Applications (1981), pages 120-125
【非特許文献３】"Improvement of Birefringent Filters. 2:Achromatic Waveplates", Alan M. Title, January 1975/Vol.14 No.1/Applied Optics, pages 229-237
【非特許文献４】Scheffer, T. J., "New multicolor liquid crystal displays that use a twisted nematic electro-optical cell," J., Appl. Phys. (1973) 44(11):4799-4803
【非特許文献５】Carlsen, W.J. and Buhrer, C. F., "Flat Passband Birefringent Wavelength-Division Multiplexers," Electronics Letters (1987) 23(3):106-107
【非特許文献６】Wright, H., et al., "Active filters enable color imaging," Laser Focus World (May 1996) 85-90
【非特許文献７】Cambridge Research & Instrumentation, Inc., "Liquid Crystal Tunable Filter,"Cambridge, MA, 2 pages
【非特許文献８】Displaytech, Inc.(January, 1996),"Switchable Color Filter", Boulder, CO, 4 pages
【非特許文献９】Title, A.M. and Rosenberg, W.J., "Tunable birefringent filters,"Opt. Eng., (1981)20(6):815-823
【非特許文献１０】Solc, Ivan,"Birefringent Chain Filters,"J. Opt, Soc. Am.(1965)55(6):621-625
【非特許文献１１】Wu, Shin-Tson,"Birefringence dispersions of liquid crystals,"Physical Review A,(1986)33(2):1270-1274
【非特許文献１２】Harris, S.E., et al., "Optical Network Synthesis Using Birefringent Crystals, I. Synthesis of Lossless Networks of Equal-Length Crystal, "J. Opt. Soc. America (1964)54(10):1267-1279
【非特許文献１３】Amman, E. O., "Optical Network Synthesis Using Birefringent Crystals, III., Some General Properties of Lossless Birefringent  Networks,"J. Opt. Soc America (1966)56(7):943-951
【非特許文献１４】Amman, E. O. and Yarborough, J. M.,"Optical Network Synthesis Using Birefringent Crystals V. Synthesis of Lossless Networks Containing Equal-Length Crystals and Compensators,"J. Opt. Soc America (1966)56(12):1746-1754
【非特許文献１５】Sharp, G. D., et al.,"P-60:Color Switching Using Ferroelectric Liquid Crystals,"Society for Information Display, International Symposium, Digest of Technical Papers, Vo., XXIV, Seattle, Washington, May 18-20, 1993.
【非特許文献１６】Kondo, et al.,"Ferroelectric Liquid Crystal Materials Applied to Guest-Host Type Displays," Ferroelectrics (1988)85:361-373
【非特許文献１７】Billings, BH.,"A Tunable Narrow-Band Optical Filter," J., Opt. Soc. America (1947)37:738-746
【非特許文献１８】Buhrer, Carl F.,"Synthesis and tunig of high order birefringent filters,"Applied Optics (20 April 1994) 33(12):2249-2254
【非特許文献１９】Bernard M. Schiffman, et al.,"Birefringent Filter For Millimeter Waves,"IEEE Transactions on Microwave Theory and Techniques, Vol. MIT-16, No.6, June 1968.
【非特許文献２０】Sharp, Gary Dean,"Chiral smectic liquid crystal tunable optical filters and modulators",1992.